(57)【要約】      （修正有）【課題】汚物分離機能を有するマンホール装置を提供する。【解決手段】上部に段差状に拡張された段部が形成され、下部に雨水を流通させる雨水管が連結されたマンホール壁体と、係止部材が外側に突出して形成され、下部には固定部材が内側に突出して形成されたフレームと、前記マンホール壁体の上部から流入する雨水及び汚物を下方へ移動させる長方形の傾斜壁板と、雨水を通過させる複数の通水孔が各面に形成され、上部が開放されたボックス形状を有し、前記傾斜壁板から汚物を収去する収去箱と、外周部が前記マンホール壁体の段部に形合固定するマンホールの蓋からマンホール装置を構成する。【選択図】図１
2009215856.tif 000002
【特許請求の範囲】
【請求項１】
雨水及び汚物が流入するように上部が開放されて地面から地中に埋め立てられ、上部に段差状に拡張された段部が形成され、下部に雨水を流通させる雨水管が連結されたマンホール壁体と、
上下に開放されて前記マンホール壁体の内部に挿入され、上部には前記マンホール壁体の段部に係止して固定するように係止部材が外側に突出して形成され、下部には固定部材が内側に突出して形成されたフレームと、
両端が前記フレームの内部の両側面に斜めに結合して前記マンホール壁体の上部から流入する雨水及び汚物を下方へ移動させる長方形の傾斜隔板と、
両側面が前記フレームの内部面に面接触してスライド可能に挿入され、前記フレームの固定部材に前記両側面の下部が係止して固定し、雨水を通過させる複数の通水孔が各面に形成され、上部が開放されたボックス形状を有し、前記傾斜隔板から汚物を収去する収去箱と、
外周部が前記マンホール壁体の段部に形合固定するとともに、前記係止部材の上方に位置するマンホールの蓋と、を含むことを特徴とする汚物分離機能を有するマンホール装置。
【請求項２】
前記フレームは対向する一対の第１及び第２の板材であり、
前記傾斜隔板は両端が前記第１及び第２の板材の内側面に斜めに結合することを特徴とする請求項１に記載の汚物分離機能を有するマンホール装置。
【請求項３】
前記傾斜隔板は、
雨水を通過させるように複数の通水孔が貫通して形成されることを特徴とする請求項１または請求項２に記載の汚物分離機能を有するマンホール装置。
【請求項４】
前記傾斜隔板は複数として階段式構造を有し、
前記収去箱は、前記傾斜隔板のうち、最下端の傾斜隔板から雨水及び汚物を収去するように位置することを特徴とする請求項１または請求項２に記載の汚物分離機能を有するマンホール装置。
【請求項５】
上側端が前記複数の傾斜隔板の各々の下側端にヒンジ結合し、下側端が前記複数の傾斜隔板の各々の上側端に接触するように設置された長方形の遮断隔板をさらに含むことを特徴とする請求項４に記載の汚物分離機能を有するマンホール装置。
【請求項６】
前記傾斜隔板より一層の下に配置されて階段式構造を形成し、前記収去箱の内側壁の上端に前記収去箱を向いて下方に斜めにヒンジ結合した長方形の回転隔板をさらに含むことを特徴とする請求項１に記載の汚物分離機能を有するマンホール装置。
【請求項７】
前記回転隔板は、
雨水を通過させるように複数の通水孔が貫通して形成されることを特徴とする請求項６に記載の汚物分離機能を有するマンホール装置。
【請求項８】
前記回転隔板はヒンジ結合部分を中心に前記収去箱を向いて下方に傾斜した面が上方に傾斜した面より大きく、
前記回転隔板のうち、下方に傾斜した面の回転を拘束して固定するように、前記収去箱の内側壁の内部面に突出して形成された拘束部材をさらに含むことを特徴とする請求項６に記載の汚物分離機能を有するマンホール装置。
【請求項９】
前記収去箱の両側面の上端にそれぞれ結合した輪形状の取っ手をさらに含むことを特徴とする請求項６に記載の汚物分離機能を有するマンホール装置。
【発明の詳細な説明】
【技術分野】
【０００１】
本発明はマンホールの蓋を通じて雨水とともに流入した汚物を自動に分離して収去することにより雨水管の通水の負担を軽減させ、雨水管が汚物によりつまることを防止して設備運営の経済性を効率よく改善させた汚物分離機能を有するマンホール装置に関する。
【背景技術】
【０００２】
マンホール(manhole)は、都心の排水口をそれぞれ地面と連通させて地中に埋められている雨水管に地面から流入する雨水を迅速に排出するために、一定の間隔で埋められている手段である。
【０００３】
従来のマンホールは単純に雨水管の中間に一定の間隔で分岐して複数として具備され、前記マンホールの深さは雨水管の連結位置より深く形成して、マンホールに流れる汚物や土、ほこりなどが前記マンホールの底面に沈積されるようにした。したがって、一定の時間ごとに前記マンホールの底面に沈積されている汚物を手作業で除去するようにした。
【０００４】
しかしながら、従来のマンホールの構造では、重量の軽い汚物、例えば、タバコの吸い殻やちり紙、プラスチックきれなどの汚物はマンホールの底面に沈積されずそのまま雨水管を通じて排出されて今後都心の汚廃水処理場で処理すべきなので、処理のための汚物選別工程に高コストが必要であった。
【０００５】
一方、雨水管の流速が遅い地点では、雨水管に流入した汚物が取り混ぜられて雨水管網を閉鎖させる結果をもたらした。このような場合、尖端装備を用いて詰まった部分を探知すべき、閉鎖された雨水管を通すために雨水管が露出するまで地面を掘り、雨水管を切断して迂回路を確保すべきなどの多くの費用が発生するという問題点があった。
【発明の開示】
【発明が解決しようとする課題】
【０００６】
上述した問題点を解決するために案出された本発明の目的は、マンホールの蓋を通じて雨水とともに流入した汚物を自動に分離して収去することにより雨水管の通水負担を軽減させ、雨水管が汚物により詰まることを防止して設備運営の経済性を効率よく改善させたマンホール用の汚物分離装置を提供することである。
【０００７】
本発明のその他の目的、特定長所及び新規な特徴は、添付した図面、次の詳細な説明及び好ましい実施形態からさらに明らかになる。
【課題を解決するための手段】
【０００８】
前記目的を達成するために本発明による汚物分離機能を有するマンホール装置は、雨水及び汚物が流入するように上部が開放されて地面から地中に埋め立てられ、上部に段差状に拡張された段部が形成され、下部に雨水を流通させる雨水管が連結されたマンホール壁体と、上下に開放されて前記マンホール壁体の内部に挿入され、上部には前記マンホール壁体の段部に係止して固定するように係止部材が外側に突出して形成され、下部には固定部材が内側に突出して形成されたフレームと、両端が前記フレームの内部の両側面に斜めに結合して前記マンホール壁体の上部から流入する雨水及び汚物を下方へ移動させる長方形の傾斜隔板と、両側面が前記フレームの内部面に面接触してスライド可能に挿入され、前記フレームの固定部材に前記両側面の下部が係止して固定し、雨水を通過させる複数の通水孔が各面に形成され、上部が開放されたボックス形状を有し、前記傾斜隔板から汚物を収去する収去箱と、外周部が前記マンホール壁体の段部に形合固定するとともに、前記係止部材の上方に位置するマンホールの蓋と、を含むことを特徴とする。
【０００９】
また、前記フレームは対向する一対の第１及び第２の板材であり、前記傾斜隔板は両端が前記第１及び第２の板材の内側面に斜めに結合することを特徴とする。
【００１０】
また、前記傾斜隔板は、雨水を通過させるように複数の通水孔が貫通して形成されることを特徴とする。
【００１１】
また、前記傾斜隔板は複数として階段式構造を有し、前記収去箱は、前記傾斜隔板のうち、最下端の傾斜隔板から雨水及び汚物を収去するように位置することを特徴とする。
【００１２】
また、上側端が前記複数の傾斜隔板の各々の下側端にヒンジ結合し、下側端が前記複数の傾斜隔板の各々の上側端に接触するように設置された長方形の遮断隔板をさらに含むことを特徴とする。
【００１３】
また、前記傾斜隔板より一層の下に配置されて階段式構造を形成し、前記収去箱の内側壁の上端に前記収去箱を向いて下方に斜めにヒンジ結合した長方形の回転隔板をさらに含むことを特徴とする。
【００１４】
また、前記回転隔板は、雨水を通過させるように複数の通水孔が貫通して形成されることを特徴とする。
【００１５】
また、前記回転隔板はヒンジ結合部分を中心に前記収去箱を向いて下方に傾斜した面が上方に傾斜した面より大きく、前記回転隔板のうち、下方に傾斜した面の回転を拘束して固定するように、前記収去箱の内側壁の内部面に突出して形成された拘束部材をさらに含むことを特徴とする。
【００１６】
また、前記収去箱の両側面の上端にそれぞれ結合した輪形状の取っ手をさらに含むことを特徴とする。
【発明の効果】
【００１７】
本発明による汚物分離機能を有するマンホール装置は、フレーム、傾斜隔板及び収去箱を通じて雨水から流入した汚物を分離して収去箱に収去するので、汚物が雨水管に投入して雨水管が詰まらなくて経済性が非常に高く、汚物処理時間も効率よく短縮できる。
【００１８】
また、傾斜隔板及び回転隔板に通水孔を形成させて雨水が収去箱のみに集中しないようにして雨水の排出が容易で、収去箱がフレームにスライド可能に挿入されることにより、フレームの全体を取り出すことなく収去箱のみを分離させて汚物を手軽いに処理できる。
【００１９】
さらにまた、遮断隔板により傾斜隔板の間の開放された空間を遮蔽することにより、汚物が傾斜隔板の間の開放された空間に容易に排出されないようにし、下方から発生して上がる悪臭が遮断できる。
【発明を実施するための最良の形態】
【００２０】
以下、添付図面に参照して本発明による汚物分離機能を有するマンホール装置の好ましい実施形態について詳しく説明する。
【００２１】
図１は本発明の汚物分離機能を有するマンホール装置の一実施形態を示した分解斜視図であり、図２は図１の実施形態が結合した状態における側断面図であり、図３は図１の実施形態のうちフレーム、傾斜隔板、収去箱 及び回転隔板を示した要部斜視図であり、図４は本発明の汚物分離機能を有するマンホール装置のうちフレーム及び傾斜隔板の第１の実施形態を示した斜視図であり、図５は本発明の汚物分離機能を有するマンホール装置のうちフレーム及び傾斜隔板の第２の実施形態を示した斜視図であり、図６は本発明の汚物分離機能を有するマンホール装置のうち収去箱及び回転隔板の第１の実施形態を示した斜視図であり、図７は本発明の汚物分離機能を有するマンホール装置のうち収去箱及び回転隔板の第２の実施形態を示した斜視図である。
【００２２】
本発明による汚物分離機能を有するマンホール装置は、図１乃至図７に示したように、マンホール壁体１００、フレーム２００、傾斜隔板３００、 収去箱４００及びマンホールの蓋５００を含み、遮断隔板９００、回転隔板６００、拘束部材７００及び取っ手８００をさらに含むことができる。前記マンホール壁体１００は、上部に段部１１０が形成され、下部には雨水管１２０が連結される。また、フレーム２００は係止部材２１０及び固定部材２２０を備え、前記傾斜隔板３００、収去箱４００及び回転隔板６００は通水孔Ｈが形成される。
【００２３】
マンホール壁体１００及びマンホールの蓋５００は一般的な従来の雨水受け用のマンホール装置を形成する構成要素であって、道路や歩道の側部に設けられる。前記マンホール壁体１００は、図１及び図２に示したように、雨水及び汚物が流入するように上部が開放されて地面から地中に埋められており、上部に段差状の段部１１０が形成され、下部には雨水を流通させる雨水管１２０が連結される。このようなマンホール壁体１００としては、長方形状のコンクリト構造体が一般に用いられる。また、マンホールの蓋５００は、外周部が前記マンホール壁体１００の段部１１０に形合固定するとともに、後述するフレーム２００の係止部材２１０の上方に位置する。前記マンホールの蓋５００は鉄格子状のスチール材質からなるスチール格子を主に使用し、前記マンホール壁体１００の段部１１０に形合固定するように長方形状が一般に採用される。
【００２４】
フレーム２００は上下に開放されて前記マンホール壁体１００の内部に挿入され、上部には前記マンホール壁体１００の段部に係止して固定するように係止部材２１０が外側に突出して形成され、下部には固定部材２２０が内側に突出して形成される。前記フレーム２００は、後述する傾斜隔板３００及び収去箱４００が結合して支持されるための構造を有することが好ましい。例えば、フレーム２００はマンホール壁体１００の内部面に面接触してスライドするように四角筒体の形状となり得、三つの側面を有することもできる。但し、図３乃至図５に示したように、フレーム２００は二つの側面、すなわち、第１の板材２６０及び第２の板材２７０で構成して傾斜隔板３００を結合することにより、製造費用を軽減させうる。本発明におけるフレーム２００はどんな材質を使用してもよいが、大量生産を考慮して合成樹脂で製作するか、注文制作または強度を考慮してスチール材質で製作することもできる。
【００２５】
傾斜隔板３００は、図１乃至図５に示したように、両端が前記フレーム２００の内部の両側面に斜めに結合して前記マンホール壁体１００の上部から流入する雨水及び汚物を下方に移動させる長方形の板材である。傾斜隔板３００もフレーム２００のようにどんな材質を使用しても合成樹脂またはスチール材質で製作され、傾斜隔板３００の両端が前記フレーム２００の内部の両側面に結合するとき、差込み方式または溶接方式が採用できる。
【００２６】
傾斜隔板３００は一つまたはそれ以上が具備できるが、一つを長く傾斜するようにフレーム２００の内部の両側面に結合でき、図３に示したように、複数の傾斜隔板３００を階段式の構造で結合させることもできる。すなわち、複数の傾斜隔板３００がそれぞれ層を形成して上層から下層に雨水及び汚物がすべり移動するようになる。
【００２７】
また、前記傾斜隔板３００は、図４に示したように、雨水を通過させるように、複数の通水孔Ｈが貫通して形成されうる。これにより、傾斜隔板３００から汚物がすべり移動しながら、雨水は前記複数の通水孔Ｈを通じて下方に直接排出され、雨水から汚物を優先的に分離して汚物のみを移動させるようになる。前記傾斜隔板３００により移動した汚物は収去箱４００に収去される。
【００２８】
遮断隔板９００は傾斜隔板３００から流れて移動する雨水及び汚物をより容易に下方に移動させるとともに、傾斜隔板３００の間の開放された空間から悪臭が上方に上がることを遮断する役割を果たす。図１乃至図４に示したように、このような遮断隔板９００は長方形の板材形状であって、上側端が前記複数の傾斜隔板３００の各々の下側端にヒンジ結合し、下側端が前記複数の傾斜隔板３００の各々の上側端に接触するように設けられる。すなわち、遮断隔板９００の上側端が傾斜隔板３００の下側端にヒンジ結合することにより、遮断隔板９００が上側端を中心にして回動可能に設けられる。これにより、遮断隔板９００の自重により下側端が下方に向くが、この場合、傾斜隔板３００の上側端に前記遮断隔板９００の下側端が接触するようになる。つまり、遮断隔板９００は複数の傾斜隔板９００の間の開放された部分を遮蔽する役割を果たす。
【００２９】
図１乃至図３に示したように、収去箱４００は両側面が前記フレーム２００の内部面に面接触してスライド可能に挿入され、前記フレーム２００の固定部材２２０に前記両側面の下部が係止して固定し、雨水を通過させる複数の通水孔Ｈが各面に形成され、上部が開放されたボックス形状をなして前記傾斜隔板３００から汚物を収去する。収去箱４００が前記傾斜隔板３００から汚物のみを収去するために各面に複数の通水孔Ｈが形成され、前記複数の通水孔Ｈを通じて雨水は下方を向いて通過させて汚物のみを収去するようになる。複数の傾斜隔板３００が階段式構造を有する場合、前記収去箱４００は、前記傾斜隔板３００のうち最下端の傾斜隔板から汚物を収去するように位置すべきである。すなわち、最上端から最下端の傾斜隔板３００を通じて汚物が移動し、最下端の傾斜隔板３００に移動した汚物が収去箱４００に収去するためには、最下端の傾斜隔板３００の下層に収去箱４００を位置づけざるを得ない。この場合、最下端の傾斜隔板３００から収去箱４００に汚物がより容易に収去するために回転隔板６００を設ける。
【００３０】
回転隔板６００は、図３、図６及び図７に示したように、前記傾斜隔板３００より一層の下に配置されて階段式構造を形成し、前記収去箱４００の内側壁の上端に前記収去箱４００を向いて下方に斜めにヒンジ結合した長方形の板材である。前記回転隔板６００は、図６及び図７に示したように、その構造及び形状が前記傾斜隔板３００と同一であり、通水孔Ｈが形成されうるが、前記収去箱４００の内側壁の上端に回転可能にヒンジ結合することが異なる。この場合、前記回転隔板６００はヒンジ結合部分を中心にして前記収去箱４００を向いて下方に傾斜した面(ＤＳ)が上方に傾斜した面(ＵＳ)より大きく、前記回転隔板６００のうち、下方に傾斜した面(ＤＳ)の回転を拘束して固定するように、前記収去箱４００の内側壁の内部面に突出して形成された拘束部材７００が提供される。これにより、前記回転隔板６００は収去箱４００を向いて下方に傾斜した面(ＤＳ)が上方に傾斜した面(ＵＳ)より大きくて重量の差により収去箱４００を向いて下方に傾斜して汚物が収去箱４００に容易に収去される。また、前記拘束部材７００により回転隔板６００の回転が拘束されて傾斜している状態に固定される。前記回転隔板６００を拘束部材７００の反対側に回転させて垂直になった状態を図７に示した。この場合、収去箱４００をフレーム２００から上部にスライド移動させても、回転隔板６００が傾斜隔板３００に干渉されず、前記収去箱４００のみをフレーム２００から容易に分離させうる。
【００３１】
取っ手８００は前記収去箱４００をフレーム２００から容易に分離させるために設けられるが、輪状に製作されて前記収去箱４００の両側面の上端にそれぞれ結合する。これにより、収去箱４００のみをフレーム２００から分離するとき、取っ手８００を取るか、長いフック形状のスティックを用いて収去箱４００をフレーム２００から取り出すことができる。
【００３２】
上述した本発明の実施形態は、本発明の技術的思想を限定することではない。本発明の保護範囲は特許請求の範囲に記載された事項のみにより制限され、本発明の技術分野における通常の知識を持つ者により、本発明の技術的思想を様々な形態に改良及び変形可能なのは明らかである。
【図面の簡単な説明】
【００３３】
【図１】本発明の汚物分離機能を有するマンホール装置の好ましい実施形態を示した分解斜視図である。
【図２】図１の実施形態が結合した状態における側断面図である。
【図３】図１の実施形態のうち、フレーム、傾斜隔板、遮断隔板、収去箱及び回転隔板を示した要部斜視図である。
【図４】本発明の汚物分離機能を有するマンホール装置のうち、フレーム、傾斜隔板及び遮断隔板の第１の実施形態を示した斜視図である。
【図５】本発明の汚物分離機能を有するマンホール装置のうち、フレーム及び傾斜隔板の第２の実施形態を示した斜視図である。
【図６】本発明の汚物分離機能を有するマンホール装置のうち、収去箱及び回転隔板の第１の実施形態を示した斜視図である。
【図７】本発明の汚物分離機能を有するマンホール装置のうち、収去箱及び回転隔板の第２の実施形態を示した斜視図である。
【符号の説明】
【００３４】
１００  マンホール壁体
１１０  段部
１２０  雨水管
２００  フレーム
２１０  係止部材
２２０  固定部材
２６０  第１の板材
２７０  第２の板材
３００  傾斜隔板
４００  収去箱
５００  マンホールの蓋
６００  回転隔板
７００  拘束部材
８００  取っ手
９００  遮断隔板
Ｈ      通水孔
【図１】
2009215856.tif 000003
【図２】
2009215856.tif 000004
【図３】
2009215856.tif 000005
【図４】
2009215856.tif 000006
【図５】
2009215856.tif 000007
【図６】
2009215856.tif 000008
【図７】
2009215856.tif 000009